(57)【特許請求の範囲】
【請求項１】
箱体、箱棒、蝶棒からなる開離嵌挿具を備えたスライドファスナーにおいて、箱体１に箱棒挿入孔４と蝶棒挿入孔５とを仕切る中仕切片６を設け、箱棒挿入孔４に箱棒２を嵌挿固定し、蝶棒挿入孔５に蝶棒３を嵌脱可能に形成し、箱体１の上面に斜面部１６を設け、斜面部１６は箱棒挿入孔４の側壁９ａから蝶棒挿入孔５の側壁９ｂに向けて下り勾配に形成し、箱体１とスライダーＳとを当接したとき、スライダーＳを箱体１の蝶棒挿入孔５側へ傾倒可能に形成してなることを特徴とする開離嵌挿具付スライドファスナーの開離嵌挿具およびスライダー。
【請求項２】
箱体、箱棒、蝶棒からなる開離嵌挿具を備えたスライドファスナーにおいて、箱体１に箱棒挿入孔４と蝶棒挿入孔５とを仕切る中仕切片６を設け、箱棒挿入孔４に箱棒２を嵌挿固定し、蝶棒挿入孔５に蝶棒３を嵌脱可能に形成し、スライダーＳの後口部Ｓ’に斜面部１６’を設け、斜面部１６’は箱棒挿入孔４の側壁９ａに当接可能な側のフランジＦから蝶棒挿入孔５の側壁９ｂに当接可能な側のフランジＦに向けて上り勾配に形成し、箱体１とスライダーＳとを当接したとき、スライダーＳを箱体１の蝶棒挿入孔５側へ傾倒可能に形成してなることを特徴とする開離嵌挿具付スライドファスナーの開離嵌挿具およびスライダー。
【請求項３】
開離嵌挿具における箱体１の前壁７で中仕切片６の両側にストリンガテープＴが嵌挿できるガイド溝１３ａ、１３ｂを設け、箱体１に設けた箱棒挿入孔４に箱棒２を嵌挿固定した隠しタイプの請求項１または２記載の開離嵌挿具付スライドファスナーの開離嵌挿具およびスライダー。
【請求項４】
開離嵌挿具における箱体１の両側壁９ａ、９ｂにストリンガテープＴが嵌挿できるガイド溝１３ａ、１３ｂを設け、箱体１に設けた箱棒挿入孔４に箱棒２を嵌挿固定した通常タイプの請求項１または２記載の開離嵌挿具付スライドファスナーの開離嵌挿具およびスライダー。
【請求項５】
開離嵌挿具における箱体１の中仕切片６は斜面部１６まで延設し、蝶棒挿入孔５側の中仕切片６の全長にわたって傾斜するガイド部１１を設けてなる請求項１または２記載の開離嵌挿具付スライドファスナーの開離嵌挿具およびスライダー。
【請求項６】
開離嵌挿具における箱体１は蝶棒挿入孔５における前壁７に中仕切片６のガイド部１１に沿って浅いガイド溝１３ｂを設け、箱棒挿入孔４の前壁７に中仕切片６の垂直面に沿って深いガイド溝１３ａを設けるとともに、中仕切片６の上端で片寄った位置に突出状の係止部１０を設け、ガイド溝１３ａの対岸中央に下向の突片１４を設け、蝶棒３はストリンガテープＴに固定した鍵形の支持体１７を一体に連結し、その連結部１８はガイド溝１３ｂへ嵌入できる形に形成し、箱棒２はストリンガテープＴに固定した鍵形の支持体１７を一体に連結し、箱棒２の前面下端に上向きの舌片状の係止片１９を設け、係止片１９の上方の箱棒２および連結部１８に凹陥部２０を設けてなる隠しタイプの請求項３記載の開離嵌挿具付スライドファスナーの開離嵌挿具およびスライダー。
【請求項７】
開離嵌挿具における箱棒２を箱体１の箱棒挿入孔４に嵌挿したとき、中仕切片６の係止部１０と箱棒２の係止片１９とが係止し、箱棒２の連結部１８に箱棒２と支持体１７との間に透孔２１を設け、該透孔２１に箱体１の突片１４を嵌挿させ、突片１４の先端を透孔２１の下側の連結部１８に当接させて箱体１と箱棒２とを固定してなる隠しタイプの請求項６記載の開離嵌挿具付スライドファスナーの開離嵌挿具およびスライダー。
【発明の詳細な説明】
【０００１】
【発明の属する技術分野】
この発明は、主にジャケット、コートなどの衣服の前立てに使用する、通常タイプのスライドファスナーおよび隠しタイプのスライドファスナーの双方に適用できる開離嵌挿具とスライダーであり、特に隠しタイプのスライドファスナーに適した開離嵌挿具およびスライダーであり、開離嵌挿具の箱体にスライダーを傾倒状に当接できる開離嵌挿具付スライドファスナーにおける開離嵌挿具およびスライダーに関するものである。
【０００２】
【従来の技術】
従来の通常タイプの開離嵌挿具付スライドファスナーは、図１７に示すように開離嵌挿具における箱体の上面が水平であり、かつ箱体には中仕切片が存在してなく、箱棒を単に箱体に嵌挿して固定し、固定された箱棒の隣りに蝶棒挿入部を設けた開離嵌挿具付スライドファスナーが実公平１−１４１６９号公報に開示されている。
【０００３】
また隠しタイプの開離嵌挿具付スライドファスナーは、図１８に示すように開離嵌挿具における箱体の上面が水平でスライダーを嵌入して保持できる凹窪部を凹設し、箱棒挿入孔と蝶棒挿入孔とを仕切る中仕切片を設けた隠しタイプの開離嵌挿具付スライドファスナーが特開平１１−１５５６１６号公報に開示されている。
【０００４】
【発明が解決しようとする課題】
前項で述べた図１７に示す通常タイプの開離嵌挿具付スライドファスナーは、箱体の上面が水平であり、スライダーを介して箱体に蝶棒を差し込む挿入操作がややもすると真上から差し込むため円滑かつ容易に行えない、また箱体を小型化することができないなど問題点があった。
【０００５】
また、図１８に示す隠しタイプの開離嵌挿具付スライドファスナーも箱体の上面が水平であり、スライダーを介して箱体に蝶棒を差し込む挿入操作は、箱体が隠れた位置で真上から差し込むため、きわめて操作が面倒であり、しかも箱体の上部にスライダーの後口部を収容して位置決めする構造を採用しているので、箱体を小型化することができないなど問題点があった。
【０００６】
この発明は、上述の問題点を考慮して発明されたものであり、請求項１記載の発明は、開離嵌挿具付スライドファスナーにおける開離嵌挿具の箱体に対し改良を加え、箱体は上方に傾倒状に配したスライダーを介して蝶棒を斜め上方から挿入することができ、挿入操作が従来品に比較してきわめて円滑かつ容易に行うことができ、そのうえ実施形態によっては開離嵌挿具の箱体を小型化することができる開離嵌挿具付スライドファスナーを提供することが主たる目的である。
【０００７】
請求項２記載の発明は、開離嵌挿具付スライドファスナーにおける開離嵌挿具のスライダーに改良を加え、スライダーを箱体に当接した際、箱体に対しスライダーを傾倒状に安定した状態に配し、蝶棒を斜め上方から挿入することができ、挿入操作が従来品に比較してきわめて円滑かつ容易に行うことができる開離嵌挿具付スライドファスナーを提供することが主たる目的である。
【０００８】
請求項３記載の発明は、請求項１または２記載の発明の目的に加え、隠しタイプの開離嵌挿具付スライドファスナーに簡易に適用できる開離嵌挿具を提供することが目的である。
【０００９】
請求項４記載の発明は、請求項１または２記載の発明の目的に加え、通常タイプの開離嵌挿具付スライドファスナーに簡易に適用できる開離嵌挿具を提供することが目的である。
【００１０】
請求項５記載の発明は、請求項１または２記載の発明の目的に加え、開離嵌挿具付スライドファスナーにおける開離嵌挿具の箱体に蝶棒をきわめて容易に挿入することができる開離嵌挿具の箱体を提供することが目的である。
【００１１】
請求項６記載の発明は、請求項３記載の発明の目的に加え、開離嵌挿具付スライドファスナーにおける開離嵌挿具の箱体に蝶棒をきわめて容易に挿入することができる機能を有する開離嵌挿具を備えた隠しタイプのスライドファスナーを提供することが目的である。
【００１２】
請求項７記載の発明は、請求項６記載の発明の目的に加え、開離嵌挿具付スライドファスナーにおける開離嵌挿具の箱体と箱棒とがいずれの方向にも揺動することができないよう、強固に固定できる機構を有する開離嵌挿具を備えた隠しタイプのスライドファスナーを提供することが目的である。
【００１３】
【課題を解決するための手段】
前記の目的を達成するため、この発明のうち請求項１記載の発明は、箱体、箱棒、蝶棒からなる開離嵌挿具を備えたスライドファスナーにおいて、箱体１の中央縦方向に箱棒挿入孔４と蝶棒挿入孔５とを仕切る中仕切片６を設け、箱棒挿入孔４に箱棒２を嵌挿した後固定し、蝶棒挿入孔５に蝶棒３を嵌脱自在に形成し、箱体１の上面に斜面部１６を設け、この斜面部１６は箱棒挿入孔４の側壁９から蝶棒挿入孔５の側壁９ｂに向けて下り勾配に形成し、箱体１とスライダーＳとが嵌挿操作の際当接したとき、スライダーＳを箱体１の蝶棒挿入孔５側へ傾倒する形に形成した開離嵌挿具付スライドファスナーの開離嵌挿具およびスライダーを主な構成としている。
【００１４】
請求項２記載の発明は、箱体、箱棒、蝶棒からなる開離嵌挿具を備えたスライドファスナーにおいて、箱体１の中央縦方向に箱棒挿入孔４と蝶棒挿入孔５とを仕切る中仕切片６を設け、箱棒挿入孔４に箱棒２を嵌挿した後固定し、蝶棒挿入孔５に蝶棒３を嵌脱自在に形成し、スライダーＳの後口部Ｓ´に斜面部１６´を設け、この斜面部１６´は箱棒挿入孔４の側壁９ａに当接可能な側のフランジＦから蝶棒挿入孔５の側壁９ｂに当接可能な側のフランジＦに向けて上り勾配に形成し、箱体１とスライダーＳとが開離嵌挿操作の際当接したとき、スライダーＳを箱体１の蝶棒挿入孔５側へ傾倒する形に形成した開離嵌挿具付スライドファスナーの開離嵌挿具およびスライダーを主な構成としている。
【００１５】
請求項３記載の発明は、請求項１または２記載の発明の構成に加え、開離嵌挿具における箱体１の前壁７であって中仕切片６の両側にストリンガテープＴが嵌挿できるガイド溝１３ａ、１３ｂを設け、箱体１に設けた箱棒挿入孔４にストリンガテープＴに取り付けた箱棒２を嵌挿して固定した隠しタイプの開離嵌挿具付スライドファスナーの開離嵌挿具およびスライダーである。
【００１６】
請求項４記載の発明は、請求項１または２記載の発明の構成に加え、開離嵌挿具における箱体１の両側に位置する側壁９にストリンガテープＴが嵌挿できるガイド溝１３ａ、１３ｂを設け、箱体１に設けた箱棒挿入孔４にストリンガテープＴに取り付けた箱棒２を嵌挿して固定した通常タイプの開離嵌挿具付スライドファスナーの開離嵌挿具およびスライダーである。
【００１７】
請求項５記載の発明は、請求項１または２記載の発明の構成に加え、開離嵌挿具における箱体１の中央に配した中仕切片６は上面の斜面部１６まで延設し、蝶棒挿入孔５側の中仕切片６の全長にわたって蝶棒３をガイドする傾斜状のガイド部１１を設けた開離嵌挿具付スライドファスナーの開離嵌挿具およびスライダーである。
【００１８】
請求項６記載の発明は、請求項３記載の発明の構成に加え、開離嵌挿具における箱体１は蝶棒挿入孔５における前壁７に中仕切片６のガイド部１１に沿って浅いガイド溝１３ｂを設け、箱棒挿入孔４の前壁７に中仕切片６の垂直面に沿って深いガイド溝１３ａを設けるとともに、中仕切片６の上端で背壁８側へ片寄った位置に突出状の係止部１０を設け、ガイド溝１３ａの対岸中央に斜め下方を向く突片１４を設け、蝶棒３はストリンガテープＴに固定した断面鍵形の支持体１７を一体に連結し、その連結部１８は浅いガイド溝１３ｂへ嵌入できる形に形成し、箱棒２はストリンガテープＴに固定した断面鍵形の支持体１７を一体に連結し、連結部１８は深いガイド溝１３ａへ嵌入し、箱棒２の前面下端には斜め上方を向く舌片状の係止片１９を設け、係止片１９の基部上方の箱棒２と連結部１８に凹状の凹陥部２０を設けた隠しタイプの開離嵌挿具付スライドファスナーの開離嵌挿具およびスライダーである。
【００１９】
請求項７記載の発明は、請求項６記載の発明の構成に加え、開離嵌挿具における箱棒２を箱体１に設けた箱棒挿入孔４に嵌挿したとき、箱体１の中仕切片６に形成した係止部１０と、箱棒２に形成した係止片１９とが係止して箱棒２の上下の揺動および抜脱を阻止し、箱棒２の連結部１８に箱棒２と支持体１７との間に透孔２１を設け、この透孔２１に箱体１に形成した突片１４を嵌挿し、突片１４の先端を透孔２１の下側の連結部１８に当接し、箱棒２の箱体１内での上下、左右の揺動を未然に阻止し、箱体１と箱棒２とを強固に固定した隠しタイプの開離嵌挿具付スライドファスナーの開離嵌挿具およびスライダーである。
【００２０】
【発明の実施の形態】
以下、この発明の開離嵌挿具付スライドファスナーの実施の形態について、図面を参照しながら具体的に説明する。
【００２１】
この発明の開離嵌挿具付スライドファスナーは、図１に示す隠しタイプのスライドファスナーの開離嵌挿具、また図１２に示す通常タイプのスライドファスナーの開離嵌挿具の双方に適用できる開離嵌挿具であり、特に隠しタイプのスライドファスナーの開離嵌挿具として最適な開離嵌挿具であり、さらにまた図１４〜１６に示す隠しタイプの開離嵌挿具付スライドファスナーにおけるスライダーに特徴がある。
【００２２】
最初に図１に示す第１実施形態の隠しタイプの開離嵌挿具付スライドファスナーの開離嵌挿具について説明すると、箱体１、箱棒２、蝶棒３の三部材から構成され、箱体１、箱棒２、蝶棒３は、それぞれポリアミド、ポリアセタール、ポリプロピレン、ポリプチレンテレフタレートなどの熱可塑性樹脂を用いて射出成形または押出成形手段によって成形する。箱棒２および蝶棒３は略角柱状を呈し、ストリンガテープＴの側縁に取り付けたファスナーエレメントＥに連接してストリンガテープＴの側縁に一体成形によって装着され、箱体１は左右に箱棒挿入孔４、蝶棒挿入孔５を設け、一方のストリンガテープＴに装着した箱棒２に箱体１を差し込んで固定して開離嵌挿具に仕上げる。
【００２３】
箱棒２は、図１に示すように一方のストリンガテープＴの側縁をＵ字状に折り返した表面に、熱可塑性合成繊維のモノフィラメントから成形されたコイル状ファスナーエレメントＥを縫着し、ファスナーエレメントＥの噛合頭部ＨはストリンガテープＴの折り返し縁部側に配する。そしてファスナーエレメントＥに連続する形で略角柱状の箱棒２が一体成形で取り付けられ、また蝶棒３も箱棒２と略同様の形態で他方のストリンガテープＴの折り返し縁部に取り付けられる。
【００２４】
箱体１は、方形体で左右に箱棒挿入孔４と蝶棒挿入孔５とを形成するため、箱体１の中央に中仕切片６を縦設し、中仕切片６は蝶棒挿入孔５に面した部分が全長にわたって傾斜し、蝶棒３を差し込む際のガイドとなるガイド部１１が設けられている。また箱棒挿入孔４に面した部分は垂直面で上端に背壁８側へ片寄った位置に突出状の係止部１０を設けて箱棒２を係止できるように形成する。なお蝶棒挿入孔５は有底であるが箱棒挿入孔４の底部にはコア挿入用の孔部１２が設けられている。
【００２５】
箱体１の前壁７には、中仕切片６の両側にストリンガテープＴを嵌挿できるガイド溝１３ａ、１３ｂを設け、蝶棒挿入孔５側のガイド溝１３ｂは中仕切片６の傾斜状のガイド部１１に沿った浅いガイド溝１３ｂである。また箱棒挿入孔４側は中仕切片６の垂直面に沿って底部まで及ぶ深いガイド溝１３ａを設け、ガイド溝１３ａの中仕切片６の対岸中央に斜め下方を向く突片１４を突出させるためクランク形の凹部１５を設ける。
【００２６】
箱体１の上面は箱棒挿入孔４の側壁９ａから蝶棒挿入孔５の側壁９ｂに向って下り勾配の斜面部１６に形成し、斜面部１６はスライダーＳの後口部Ｓ’と当接しスライダーＳを傾斜状に載置することができる。なお中仕切片６は斜面部１６まで延びる形に形成する。
【００２７】
箱棒２はストリンガテープＴの折り返し縁部側すなわち内側端に、図１、５に示すようにストリンガテープＴに連接して鍵形に支持体１７を連結し、箱棒２と支持体１７との間にコ字状の連結部１８が形成され、この連結部１８は箱体１の前壁７に設けた深いガイド溝１３ａに嵌挿する。そして箱棒２と支持体１７はともに熱可塑性樹脂によって一体成形してストリンガテープＴに溶着する。
【００２８】
箱棒２の前面の下端には箱体１の中仕切片６に設けた係止部１０に係止できるように斜め上方へ突出する舌片状の係止片１９を突設し、この係止片１９の基部上方の箱棒２と連結部１８とに、図１、４に示すように同形の凹状の凹陥部２０を形成し、連結部１８の凹陥部２０には図１、５に示すように箱棒２と支持体１７との間に透孔２１が設けられ、この透孔２１に箱体１に設けた突片１４が嵌挿できるように形成する。蝶棒３も箱棒２と同様にストリンガテープＴの側縁をＵ字状に折り返した表面に、熱可塑性合成繊維のモノフィラメントから形成したコイル状ファスナーエレメントＥを縫着し、ファスナーエレメントＥの噛合頭部ＨはストリンガテープＴの折り返し縁部側に配され、このファスナーエレメントＥに連続する形で略角柱状を呈する蝶棒３を一体成形によって取り付ける。
【００２９】
蝶棒３はストリンガテープＴの折り返し縁部に図１、７に示すようにストリンガテープＴに連接して鍵形に支持体１７を連結して蝶棒３と支持体１７との間にコ字状の連結部１８を形成し、この連結部１８の先端は切欠して短く形成し、箱体１の前壁７に設けた浅いガイド溝１３ｂに嵌挿できるように形成する。蝶棒３もまた支持体１７とともに熱可塑性樹脂によって一体成形してストリンガテープＴに溶着する。
【００３０】
蝶棒３の先端は、図６に示すように箱体１の中仕切片６に形成したガイド部１１の形状に略合致するよう傾斜面を呈する先細状に形成する。蝶棒３の前面の上端にファスナーエレメントＥと噛合できる頭部２２を一体に形成し、また支持体１７は連結部１８の先端から傾斜状に形成することによって、蝶棒３が突出状に現出させて箱体１への差し込み操作の便宜を図る。
【００３１】
箱体１と箱棒２との組み付けは、箱棒２を箱体１の箱棒挿入孔４に強圧的に差し込むと同時に、連結部１８を深いガイド溝１３ａに嵌挿させることによって、図８に示すように箱体１の係止部１０に箱棒２の係止片１９が係止することによって上方への揺動を防ぎ、箱体１の突片１４が連結部１８に設けた透孔２１に嵌入し先端が透孔２１の下側に存在する連結部１８に当接させて下方への揺動を防ぐとともに、左右への揺動も防ぐ、したがって箱棒２を箱体１内で上下、左右、前後に揺動することができないように強固に固定し、一方のストリンガテープＴに箱体１を取り付ける。
【００３２】
開離嵌挿操作は、図９に概略的に示すように、箱棒２を取り付けたファスナーストリンガにスライダーＳを嵌挿し、図１０に示すようにスライダーＳを箱体１の斜面部１６に当接させることによって、スライダーＳを傾斜状に配置した状態で他のファスナーストリンガに取り付けた蝶棒３をスライダーＳ内に挿通し、蝶棒３を箱体１のガイド部１１にガイドされながら蝶棒挿入孔５に差し込んだ後、スライダーＳの位置を図１１に示すように修正し、スライダーＳを閉鎖方向へ引き上げて左右のファスナーエレメントＥを噛合させ、隠しタイプのファスナーストリンガを閉鎖させる。また閉鎖状のファスナーストリンガを分離開口するには、スライダーＳを引き下げて箱体１の斜面部１６に当接させ、傾斜状のスライダーＳから蝶棒３を抜脱させれば、左右のファスナーストリンガを分離させることができる。
【００３３】
次に図１２、１３に示す第２実施形態の通常タイプの開離嵌挿具付スライドファスナーの開離嵌挿具について説明すると、開離嵌挿具は箱体１、箱棒２、蝶棒３の三部材から構成され、これら箱体１、箱棒２、蝶棒３は、それぞれアルミニウム合金、亜鉛合金を用いてダイカスト成形によって一体成形する。箱棒２および蝶棒３は略角柱状を呈し、箱棒２および蝶棒３はストリンガテープＴの側縁に取り付けたファスナーエレメントＥに連接してストリンガテープＴの側縁に加締め成形によって装着し、箱体１は左右に箱棒挿入孔４、蝶棒挿入孔５を設け、一方のストリンガテープＴに装着した箱棒２に箱体１を差し込んで固定して開離嵌挿具を仕上げる。
【００３４】
箱棒２は図１２に示すように、一方の平坦なストリンガテープＴの側縁の表面に、熱可塑性合成繊維のモノフィラメントから成形されたコイル状ファスナーエレメントＥに芯紐２３を挿通して縫着し、ファスナーエレメントＥの噛合頭部ＨがストリンガテープＴの側縁から突出する形態に形成し、そしてファスナーエレメントＥに連続する形で略角柱状の箱棒２を図１３に示すようにストリンガテープＴの端部でファスナーエレメントＥを除去した芯紐２３を熱可塑性樹脂フィルムなどの補強テープ２４を圧着した表面へ取り付ける。また蝶棒３も箱棒２と同様に他方のストリンガテープＴの側縁に取り付ける。
【００３５】
箱体１は方形体で左右に箱棒挿入孔４と蝶棒挿入孔５を形成するため、箱体１の中央に中仕切片６を縦設し、中仕切片６は蝶棒挿入孔５に面した部分が全長にわたって傾斜し、蝶棒３を差し込む際のガイドとなるガイド部１１が設けられている。また箱棒挿入孔４に面した部分は垂直面であり、箱棒挿入孔４と蝶棒挿入孔５はともに有底孔である。
【００３６】
箱体１の両側の側壁９ａ、９ｂにはストリンガテープＴが嵌挿できるガイド溝１３ａ、１３ｂが底部まで形成されている。また箱体１の上面は箱棒挿入孔４の側壁９ａから蝶棒挿入孔５の側壁９ｂに向けて下り勾配の斜面部１６が形成され、斜面部１６はスライダーＳの後口部Ｓ’と当接し、スライダーＳを傾斜状に載置できる。箱体１の中仕切片６は斜面部１６まで延設されている。
【００３７】
箱体１と箱棒２との組み付けは、箱棒２を箱体１の箱棒挿入孔４に差し込むと同時に、ストリンガテープＴを箱体１の側壁９ａに設けたガイド溝１３ａに嵌挿した後、箱体１の箱棒挿入孔４側の背壁８を図１３に示すようにパンチでノッチ２５を作り、箱体１と箱棒２とを固定して組み付ける。
【００３８】
開離嵌挿操作は、箱棒２を取り付けたファスナーストリンガにスライダーＳを嵌挿し、スライダーＳを箱体１の斜面部１６に当接させ、スライダーＳを傾斜状に配した状態で他のファスナーストリンガに取り付けた蝶棒３をスライダーＳ内に挿通し、蝶棒３を箱体１のガイド部１１にガイドされながら蝶棒挿入孔５に差し込んだ後、スライダーＳの位置を水平状に修正し、スライダーＳを閉鎖方向へ引き上げて左右のファスナーストリンガを閉鎖させる。閉鎖状のファスナーストリンガを分離開口するには、スライダーＳを引き下げて箱体１の斜面部１６に当接させ、傾斜状のスライダーＳから蝶棒３を抜脱させれば左右のファスナーストリンガを分離させることができる。
【００３９】
なおこの発明の実施形態で説明したファスナーエレメントは、熱可塑性合成繊維のモノフィラメントから形成したコイル状ファスナーエレメントについて説明したが、コイル状ファスナーエレメントのみでなく、ジグザグ状ファスナーエレメント、また熱可塑性樹脂製の単体のファスナーエレメントでもよく、さらに金属製の単体のファスナーエレメントであってもよい。
【００４０】
最後に図１４〜１６に示す第３実施形態の隠しタイプの開離嵌挿具付スライドファスナーのスライダーについて説明すると、ここに用いる開離嵌挿具の箱体１は、通常のタイプの箱体１であって、箱体１の上面は水平面であり、左右に箱棒挿入孔４、蝶棒挿入孔５が設けられ、箱体１、箱棒２、蝶棒３の具体的な形態は、図１に示す第１実施形態の開離嵌挿具と略同一である。
【００４１】
スライダーＳは後口部Ｓ’に傾斜する斜面部１６’が形成され、斜面部１６’は箱体１の箱棒挿入孔４の側壁９ａに対面し当接する側のフランジＦから、蝶棒挿入孔５の側壁９ｂに対面し当接する側のフランジＦ’に向けて上り勾配の形状を呈するよう左右非対称形に形成する。
【００４２】
このように形成されたスライダーＳを図１４に示すように、箱棒２を取り付けたファスナーストリンガにスライダーＳを嵌挿し、図１５に示すようにスライダーＳの後口部Ｓ’の斜面部１６’を箱体１の上面に当接させ、スライダーＳを傾斜状に配置した状態で他のファスナーストリンガに取り付けた蝶棒３をスライダーＳ内に挿通し、蝶棒３を箱体１のガイド部１１にガイドさせながら蝶棒挿入孔５に差し込んだ後、スライダーＳの位置を図１６に示すように修正し、スライダーＳを閉鎖方向へ引き上げて左右のファスナーエレメントＥを噛合させ、隠しタイプのファスナーストリンガを閉鎖させる。また閉鎖状態のファスナーストリンガを分離開口するには、スライダーＳを引き下げて箱体１に当接させ、蝶棒３を箱体１およびスライダーＳから抜脱すれば、左右のファスナーストリンガに分離できる。
【００４３】
なお箱体１の蝶棒挿入孔５に蝶棒３を差し込む際は、箱体１に対しスライダーＳの蝶棒３を挿通する側が傾倒しているため、第１実施形態の開離嵌挿具付スライドファスナーと同様に、蝶棒３を真上からでなく、斜め上方から挿入するので、挿入操作がきわめて円滑に行うことができる。
【００４４】
【発明の効果】
この発明の開離嵌挿具付スライドファスナーの開離嵌挿具およびスライダーは、以上説明したとおりの構成であり、この構成によって下記の効果を奏する。
【００４５】
この発明のうち請求項１記載の発明は、箱体、箱棒、蝶棒からなる開離嵌挿具を備えたスライドファスナーにおいて、箱体に箱棒挿入孔と蝶棒挿入孔とを仕切る中仕切片を設け、箱棒挿入孔に箱棒を嵌挿固定し、蝶棒挿入孔に蝶棒を嵌脱可能に形成し、箱体の上面に斜面部を設け、斜面部は箱棒挿入孔の側壁から蝶棒挿入孔の側壁に向けて下り勾配に形成し、箱体とスライダーとを当接したとき、スライダーを箱体の蝶棒挿入孔側へ傾倒可能に形成したことによって、下記の効果を奏する。
【００４６】
箱体に対しスライダーを傾斜状に配することができるので、蝶棒の差し込みがきわめてスムーズに行うことができ、しかも箱体を小型化することによって、ファスナーチエンの縫製作業が容易に行え、かつ資源の節減が図れる効果がある。
【００４７】
請求項２記載の発明は、箱体、箱棒、蝶棒からなる開離嵌挿具を備えたスライドファスナーにおいて、箱体に箱棒挿入孔と蝶棒挿入孔とを仕切る中仕切片を設け、箱棒挿入孔に箱棒を嵌挿固定し、蝶棒挿入孔に蝶棒を嵌脱可能に形成し、スライダーの後口部に斜面部を設け、斜面部は箱棒挿入孔の側壁に当接可能な側のフランジから蝶棒挿入孔の側壁に当接可能な側のフランジに向けて上り勾配に形成し、箱体とスライダーを当接したとき、スライダーを箱体の蝶棒挿入孔側へ傾倒可能に形成したことによって、下記の効果を奏する。
【００４８】
開離嵌挿操作の際、スライダーを箱体に当接した場合、箱体に対しスライダーを蝶棒挿入孔側へ傾倒させることができるので、箱体に対し蝶棒をきわめて円滑かつ容易に挿入操作ができる効果がある。
【００４９】
請求項３記載の発明は、請求項１または２記載の発明の効果に加え、箱体の前壁で中仕切片の両側にストリンガテープが嵌挿できるガイド溝を設け、箱体に設けた箱棒挿入孔に箱棒を嵌挿固定した隠しタイプの開離嵌挿具であるから、隠しタイプのスライドファスナーに簡易に適用することができ、その実用化が容易に図れる効果がある。
【００５０】
請求項４記載の発明は、請求項１または２記載の発明の効果に加え、箱体の両側壁にストリンガテープが嵌挿できるガイド溝を設け、箱体に設けた箱棒挿入孔に箱棒を嵌挿固定した通常タイプの開離嵌挿具であるから、通常タイプのスライドファスナーに簡易に適用することができ、その実用化が容易に図れる効果がある。
【００５１】
請求項５記載の発明は、請求項１または２記載の発明の効果に加え、箱体の中仕切片は斜面部まで延設し、蝶棒挿入孔側の中仕切片の全長にわたって傾斜するガイド部を設けたことによって、箱体に対し蝶棒をきわめて容易かつ円滑に差し込むことができる効果がある。
【００５２】
請求項６記載の発明は、請求項３記載の発明の効果に加え、箱体は蝶棒挿入孔における前壁に中仕切片のガイド部に沿って浅いガイド溝を設け、箱棒挿入孔の前壁に中仕切片の垂直面に沿って深いガイド溝を設けるとともに、中仕切片の上端で片寄った位置に突出状の係止部を設け、ガイド溝の対岸中央に下向の突片を設けたことによって、隠しタイプの開離嵌挿具における箱体の蝶棒挿入孔に安定した状態で蝶棒を差し込むことができ、かつまた箱棒挿入孔に対し箱棒を強固に固定することができる効果がある。
【００５３】
さらに、蝶棒はストリンガテープに固定した鍵形の支持体を一体に連結し、その連結部はガイド溝へ嵌入できる形に形成し、箱棒はストリンガテープに固定した鍵形の支持体を一体に連結し、箱棒の前面下端に上向きの舌片状の係止片を設け、係止片の上方の箱棒および連結部に凹陥部を設けたことによって、蝶棒は箱体に対し円滑に差し込める構造に形成でき、箱棒は箱体に対し強固かつ確実に組み付けることができるから、その実用化が容易に図れる効果がある。
【００５４】
請求項７記載の発明は、請求項６記載の発明の効果に加え、箱棒を箱体の箱棒挿入孔に嵌挿したとき、中仕切片の係止部と箱棒の係止片とが係止し、箱棒の連結部に箱棒と支持体との間に透孔を設け、該透孔に箱体の突片を嵌挿させ、突片の先端を透孔の下側の連結部に当接させて箱体と箱棒とを固定したことによって、隠しタイプの開離嵌挿具における箱体と箱棒とがいずれの方向、すなわち上下、左右、前後に揺動することができなく、頑丈な隠しタイプの開離嵌挿具に仕上げることができる効果があるなど、この発明が奏する効果はきわめて顕著である。
【図面の簡単な説明】
【図１】第１実施形態の隠しタイプの開離嵌挿具の分解斜視図である。
【図２】同上の開離嵌挿具の箱体の正面図である。
【図３】同上の開離嵌挿具の箱体の横断面図である。
【図４】同上の開離嵌挿具の箱棒を備えたファスナーストリンガの要部の正面図である。
【図５】同上の開離嵌挿具におけるＡ−Ａ線断面図である。
【図６】同上の開離嵌挿具の蝶棒を備えたファスナーストリンガの要部の正面図である。
【図７】同上の開離嵌挿具におけるＢ−Ｂ線断面図である。
【図８】同上の開離嵌挿具における箱体と箱棒とを組み付けた状態の正面図である。
【図９】同上の開離嵌挿具の作用を示すもので、ファスナーストリンガにスライダーを挿通した状態を示す作用図である。
【図１０】同上の開離嵌挿具の作用を示すもので、箱体に蝶棒を挿入する状態を示す作用図である。
【図１１】同上の開離嵌挿具の作用を示すもので、箱体に蝶棒を挿入し終えた状態を示す作用図である。
【図１２】第２実施形態の通常タイプの開離嵌挿具を備えたファスナーチェンの要部の正面図である。
【図１３】同上の開離嵌挿具におけるＣ−Ｃ線断面図である。
【図１４】第３実施形態の隠しタイプの開離嵌挿具の作用を示すもので、ファスナーストリンガにスライダーを挿通した状態を示す作用図である。
【図１５】同上の開離嵌挿具の作用を示すもので、箱体に蝶棒を挿入する状態を示す作用図である。
【図１６】同上の開離嵌挿具の作用を示すもので、箱体に蝶棒を挿入し終えた状態を示す作用図である。
【図１７】公知の通常タイプの開離嵌挿具を備えたファスナーチェンの要部の正面図である。
【図１８】公知の隠しタイプの開離嵌挿具の分解斜視図である。
【符号の説明】
１        箱体
２        箱棒
３        蝶棒
４        箱棒挿入孔
５        蝶棒挿入孔
６        中仕切片
７        前壁
８        背壁
９ａ      箱棒挿入孔の側壁
９ｂ      蝶棒挿入孔の側壁
１０        係止部
１１        ガイド部
１３ａ      箱棒挿入孔のガイド溝
１３ｂ      蝶棒挿入孔のガイド溝
１４        突片
１６        斜面部（箱体）
１６’      斜面部（スライダー）
１７        支持体
１８        連結部
１９        係止片
２０        凹陥部
２１        透孔
Ｓ        スライダー
Ｓ’      後口部
Ｔ        ストリンガテープ
Ｆ        フランジ
【図１】
0003621006.tif 000002
【図２】
0003621006.tif 000003
【図３】
0003621006.tif 000004
【図４】
0003621006.tif 000005
【図５】
0003621006.tif 000006
【図６】
0003621006.tif 000007
【図７】
0003621006.tif 000008
【図８】
0003621006.tif 000009
【図９】
0003621006.tif 000010
【図１０】
0003621006.tif 000011
【図１１】
0003621006.tif 000012
【図１２】
0003621006.tif 000013
【図１３】
0003621006.tif 000014
【図１４】
0003621006.tif 000015
【図１５】
0003621006.tif 000016
【図１６】
0003621006.tif 000017
【図１７】
0003621006.tif 000018
【図１８】
0003621006.tif 000019